(57)【要約】【課題】フロントフレームを開閉するときに、大きな力を要さず、楽に行うことができるようにする。【解決手段】ベースフレーム２の軸部８に、フロントフレーム９の筒状の軸受部１１を嵌合し、該フロントフレーム９を内外方向に回動自在とする。該フロントフレーム９の軸受部１１の内側部分に、断面直角形状のカム１２を形成する。ベースフレーム２の表示物の外縁部を受ける受片５とフロントフレーム９のカム１２との間に適宜の弾性を有する板を平面長円形に形成してなる拡圧ばね体１３を縮設する。そして、ベースフレーム２、２、２、２を連結金具１４、１４、１４、１４をもって矩形に枠組みする。【選択図】        図１ 
0003107758.tif 000002
【実用新案登録請求の範囲】
【請求項１】
裏面壁の内側端に表示物の背面を受ける受片を突設し、該表示物の背面を受ける受片の基部に、直角に表示物の外縁部を受ける受片を突設すると共に該表示物の外縁部を受ける受片の上端部に外側に向かう突片を形成し、更に裏面壁の外側端に外側壁を直角に突設し、該外側壁の上端部に断面円形の軸部を連成してなるベースフレームの前記軸部に、内端を鋭角に屈曲して表示物の前面を受ける受片を形成する一方、外端に前記ベースフレームの軸部を摺動自在に嵌合する軸受部を設けると共に該軸受部の内側部分に、断面直角形状のカムを形成したフロントフレームの前記軸受部を嵌合して該フロントフレームを内外方向に回動自在とし、更に前記ベースフレームの表示物の外縁部を受ける受片と前記フロントフレームのカムとの間に適宜の弾性を有する板を平面長円形に形成してなる拡圧ばね体を縮設し、前記ベースフレームを連結金具をもって矩形に枠組みし、前記フロントフレームが前記拡圧ばね体の弾力により死点を境に開閉いずれにも付勢され、クリックモーションを行うようになしたことを特徴とする前面開放式額縁。
【請求項２】
フロントフレームの軸受部が筒状である請求項１記載の前面開放式額縁。
【請求項３】
フロントフレームの軸受部が断面半円状である請求項１記載の前面開放式額縁。
【考案の詳細な説明】
【技術分野】
【０００１】
本考案は前面から絵画やポスター等の表示物を出し入れすることができるようになした前面開放式額縁に関するものである。
【背景技術】
【０００２】
前面から絵画やポスター等の表示物を出し入れすることができるようにすれば、壁面に常時取り付けたままにしておき、絵画やポスター等の表示物を取り替えるときには一々額縁を壁面から取り外すことなく行えるので、作業が捗る。また、表示物の着脱もスピーディーに行うことができる。
【０００３】
そしてこのようになした額縁は従来から存在し、それは図１１及び図１２に示した次の構成からなるものである。即ち、該額縁は、裏面壁１０１の内側端に表示物の背面を受ける受片１０２を突設し、該表示物の背面を受ける受片１０２の基部に、直角に表示物の外縁部を受ける受片１０３を突設すると共に該表示物の外縁部を受ける受片１０３の上端部に内側と外側に向かう突片１０４、１０５を夫々形成し、更に裏面壁１０１の外側端に外側壁１０６を直角に突設し、該外側壁１０６の上端部に開口部が斜め内向きとなる断面略Ｃ字形のばね受け溝１０７を設けると共に該ばね受け溝１０７の外側に断面円形の軸部１０８を突設してなるベースフレーム１００を、連結金具（図示せず。）をもって矩形に枠組みし、内端を鋭角に屈曲して表示物の前面を受ける受片１１０とばね受け溝１１１を形成する一方、外端に前記ベースフレーム１００の軸部１０８に外嵌する断面半円形の軸受溝１１２を設けたフロントフレーム１０９を、夫々その軸受溝１１２を前記ベースフレーム１００の軸部１０８に外嵌して各ベースフレーム１００に対して内外方向に回動自在とし、更に前記ベースフレーム１００のばね受け溝１０７とフロントフレーム１０９のばね受け溝１１１間に金属製ばね板１１３を嵌め込み、フロントフレーム１０９が該ばね板１１３の弾力により死点を境に開閉いずれにも付勢され、クリックモーションを行うようになされたものである。
【考案の開示】
【考案が解決しようとする課題】
【０００４】
しかし、斯かる額縁には大きな問題点がある。それはフロントフレーム１０９の開閉時にクリックモーションを行わせる力をばね板１１３によってなさしめているが、ばね板１１３は一枚の板であり、そしてその一端側はベースフレーム１００のばね受け溝１０７に、また他端側はフロントフレーム１０９の内端に形成されたばね受け溝１１１に嵌め入れられている関係上、このばね板１１３が突支となり、フロントフレーム１０９を閉じるときと、反対に閉じた状態から開こうとするときに大きな抵抗となる。このため閉じるときにも相当大きな力を必要とし、また開こうとするときにも相当大きな力を必要とする。したがって、力の弱い女性等の場合には表示物の取り替えをスムーズに行うことができない場合がある。また特に開くときには爪先を剥がしたりする事故が起き易い。
【０００５】
本考案は上記の点に鑑みなされたものであって、フロントフレームを開閉するときに、大きな力を要さず、楽に行うことができるようになした前面開放式額縁を提供せんとするものである。
【課題を解決するための手段】
【０００６】
而して、本考案の要旨とするところは、裏面壁の内側端に表示物の背面を受ける受片を突設し、該表示物の背面を受ける受片の基部に、直角に表示物の外縁部を受ける受片を突設すると共に該表示物の外縁部を受ける受片の上端部に外側に向かう突片を形成し、更に裏面壁の外側端に外側壁を直角に突設し、該外側壁の上端部に断面円形の軸部を連成してなるベースフレームの前記軸部に、内端を鋭角に屈曲して表示物の前面を受ける受片を形成する一方、外端に前記ベースフレームの軸部を摺動自在に嵌合する軸受部を設けると共に該軸受部の内側部分に、断面直角形状のカムを形成したフロントフレームの前記軸受部を嵌合して該フロントフレームを内外方向に回動自在とし、更に前記ベースフレームの表示物の外縁部を受ける受片と前記フロントフレームのカムとの間に適宜の弾性を有する板を平面長円形に形成してなる拡圧ばね体を縮設し、前記ベースフレームを連結金具をもって矩形に枠組みし、前記フロントフレームが前記拡圧ばね体の弾力により死点を境に開閉いずれにも付勢され、クリックモーションを行うようになしたことを特徴とする前面開放式額縁にある。
【０００７】
また、上記構成において、フロントフレームの軸受部は、筒状としてもよいし、また断面半円状としてもよい。
【考案の効果】
【０００８】
本考案は上記の如き構成であるから、フロントフレームを開閉するときに大きな力を要さず、楽に行うことができるものである。そして特に閉じた状態から開くときに、従来の額縁におけるが如き爪先を剥がす虞もない。
【考案を実施するための最良の形態】
【０００９】
本考案を実施するための最良の形態は、裏面壁の内側端に表示物の背面を受ける受片を突設し、該表示物の背面を受ける受片の基部に、直角に表示物の外縁部を受ける受片を突設すると共に該表示物の外縁部を受ける受片の上端部に外側に向かう突片を形成し、更に裏面壁の外側端に外側壁を直角に突設し、該外側壁の上端部に断面円形の軸部を連成してなるベースフレームの前記軸部に、内端を鋭角に屈曲して表示物の前面を受ける受片を形成する一方、外端に前記ベースフレームの軸部を摺動自在に嵌合する軸受部を設けると共に該軸受部の内側部分に、断面直角形状のカムを形成したフロントフレームの前記軸受部を嵌合して該フロントフレームを内外方向に回動自在とし、更に前記ベースフレームの表示物の外縁部を受ける受片と前記フロントフレームのカムとの間に適宜の弾性を有する板を平面長円形に形成してなる拡圧ばね体を縮設し、前記ベースフレームを連結金具をもって矩形に枠組みし、前記フロントフレームが前記拡圧ばね体の弾力により死点を境に開閉いずれにも付勢され、クリックモーションを行うようになすことにある。
【実施例１】
【００１０】
以下、本考案の実施例について図面を参照しつつ説明する。
図１は一部省略して示した本考案の実施例１の斜視図、図２は外面側から見たベースフレームとフロントフレームの部分拡大図、図３は拡圧ばね体の斜視図、図４は本考案の実施例１の要部のフロントフレームを開いた状態の断面図、図５は本考案の実施例１の要部のフロントフレームが半分閉じて死点の位置にある状態の断面図、図６は本考案の実施例１の要部のフロントフレームを閉じた状態の断面図である。
【００１１】
本考案の実施例１に係る前面開放式額縁１は、裏面壁３の内側端に表示物の背面を受ける受片４を突設し、該表示物の背面を受ける受片４の基部に、直角に表示物の外縁部を受ける受片５を突設すると共に、該表示物の外縁部を受ける受片５の上端部に外側に向かう突片６を形成し、更に、裏面壁３の外側端に外側壁７を直角に突設し、該外側壁７の上端部に断面円形の軸部８を連成してなるベースフレーム２の前記軸部８に、内端を鋭角に屈曲して表示物の前面を受ける受片１０を形成する一方、外端に前記ベースフレーム２の軸部８を摺動自在に嵌合する軸受部１１を設けると共に、該軸受部１１の内側部分に、断面直角形状のカム１２を形成したフロントフレーム９の前記軸受部１１を嵌合して該フロントフレーム９を内外方向に回動自在とし、更に、前記ベースフレーム２の表示物の外縁部を受ける受片５と前記フロントフレーム９のカム１２との間に適宜の弾性を有する板を平面長円形に形成してなる拡圧ばね体１３を縮設し、前記ベースフレーム２、２、２、２を連結金具１４、１４、１４、１４をもって矩形に枠組みし、前記フロントフレーム９が拡圧ばね体１３の弾力により死点を境に開閉いずれにも附勢され、クリックモーションを行うようになしたものである。尚、本実施例では拡圧ばね体１３は樹脂で成形しており、そして弾性強度を適宜のものとするため、平行する直線部分の内壁に長さ方向に沿った突条１３ａを形成している。更にまた、拡圧ばね体１３を確実に保持するために、該拡圧ばね体１３の一方側の部分を表示物の外縁部を受ける受片５の上端部に形成した突片６と裏面壁３との間に差し込むと共に、他方側の部分の下端外面に形成した突片１３ｂを、外側壁７に内側に向けて形成した突条７ａと裏面壁３との間に差し込んでいる。
【００１２】
そしてまた、本実施例ではフロントフレーム９の軸受部１１を筒状として、これにベースフレーム２の軸部８を嵌合している。そして図２に示す如く該軸受部１１の一部を切欠１１ａしてベースフレーム２の軸部８の連結片８ａが入り込むようにしている。
【００１３】
次に、本実施例の作用について説明する。
フロントフレーム９を開いた状態は図４に示す通りであり、また表示物（図示せず。）を入れてフロントフレーム９を閉じた状態は図６に示す通りである。そして、フロントフレーム９を半分閉じて死点の位置にある状態は図５に示す通りである。また、図４から図６に至る状態にあっては、フロントフレーム９を閉じることによってその軸受部１１に形成した断面直角形状のカム１２が回動し、その最も高い部分である角部１２ａが拡圧ばね体１３を側面から押し出し、これを緊縮させるものである。したがって、このときには、該拡圧ばね体１３は、図３の仮想線で示す如く、長さ方向の両端に位置する円曲部分が更に押し曲げられるものである。そして、図５に示す如く、該カム１２の角部１２ａとベースフレーム２の軸部８の中心８ａとを通る線Ａがベースフレーム２の裏面壁３と平行になったときに死点となり、拡圧ばね体１３の緊縮状態は最高となる。そして、この位置を過ぎると、即ちカム１２の角部１２ａが線Ａよりずれると、今度は拡圧ばね体１３が弾性により元の形に戻ろうとして該カム１２の角部１２ａを押し出し、フロントフレーム９を閉じる方向に附勢するものである。
【００１４】
そして、本実施例にあっては、フロントフレーム９を上記の如く閉じるとき、該フロントフレーム９の内端側に寄った位置を押すことにより、力を加える部分とカム１２の位置とが離れており、もって梃子の原理によりフロントフレーム９を押す力が弱くとも充分にカム１２により拡圧ばね体１３を緊縮方向に押し出すことができるものである。これはまたフロントフレーム９を閉じた状態から開こうとするときも同様である。そしてこの場合には、楽に開くことができるから、爪先を剥がしたりする虞もない。
【実施例２】
【００１５】
次に、図７乃至図１０に示した本考案の実施例２について説明する。
本実施例と前記実施例１との相違点は、フロントフレームの軸受部の構成の相違にある。即ち、前記実施例１ではフロントフレームの軸受部を筒状とし、これにベースフレームの軸部を嵌合しているのに対して、本実施例では該軸受部１１′を断面半円状としている点において相違している。尚、その他の構成並びに作用は前記実施例１と同様であるから、同一の部材には同一の符号を付して詳細な説明は省略する。
【図面の簡単な説明】
【００１６】
【図１】一部省略して示した本考案の実施例１の斜視図である。
【図２】外面側から見たベースフレームとフロントフレームの部分拡大図である。
【図３】拡圧ばね体の斜視図である。
【図４】本考案の実施例１における要部のフロントフレームを開いた状態の断面図である。
【図５】本考案の実施例１における要部のフロントフレームが半分閉じて死点の位置にある状態の断面図である。
【図６】本考案の実施例１における要部のフロントフレームを閉じた状態の断面図である。
【図７】一部省略して示した本考案の実施例２の斜視図である。
【図８】本考案の実施例２における要部のフロントフレームを開いた状態の断面図である。
【図９】本考案の実施例２における要部のフロントフレームが半分閉じて死点の位置にある状態の断面図である。
【図１０】本考案の実施例２における要部のフロントフレームを閉じた状態の断面図である。
【図１１】従来の額縁における要部のフロントフレームを開いた状態の断面図である。
【図１２】従来の額縁における要部のフロントフレームを閉じた状態の断面図である。
【符号の説明】
【００１７】
１  前面開放式額縁
２  ベースフレーム
３  裏面壁
４  表示物の背面を受ける受片
５  表示物の外縁部を受ける受片
６  突片
７  外側壁
８  軸部
９  フロントフレーム
１０  表示物の前面を受ける受片
１１、１１′  軸受部
１２  カム
１３  拡圧ばね体
１４  連結金具
【図１】
0003107758.tif 000003
【図２】
0003107758.tif 000004
【図３】
0003107758.tif 000005
【図４】
0003107758.tif 000006
【図５】
0003107758.tif 000007
【図６】
0003107758.tif 000008
【図７】
0003107758.tif 000009
【図８】
0003107758.tif 000010
【図９】
0003107758.tif 000011
【図１０】
0003107758.tif 000012
【図１１】
0003107758.tif 000013
【図１２】
0003107758.tif 000014